(57)【要約】      （修正有）【課題】トナーと現像剤を効率良く余計なストレスをかけずに混合撹拌し、現像剤の帯電量を外乱条件によらず効率的に調整し、適切なトナー濃度と帯電量を持った現像剤を必要な量だけ連続的に供給可能とする。【解決手段】イオン化気流により現像部からの排出現像剤の帯電量を調整（低減）し、補給トナーの分散性を向上させ、余計なストレスをかけずに適正な帯電量に速やかに調整することが可能とする。スクリュ４３で下から上に持ち上げられた現像剤は、撹拌部材４４の回転で下方に運動し、再びスクリュ４７の周囲に寄せ集められる対流をなす。これで現像剤撹拌部４０内全体が均一に混合される。現像剤が対流することで接触確率が上がり、現像剤へのダメージも少ない。イオン化気流により撹拌前に帯電量を低減させる際には、均一にトナー帯電量を適正な値まで立ち上げ得る。【選択図】図７
2010033001.tif 000002
【特許請求の範囲】
【請求項１】
トナーとキャリアからなる二成分現像剤を用いた現像装置であって、現像部と、現像剤撹拌部を別体にして備えるとともに、イオン化気流発生手段を備え、前記現像部と前記現像剤撹拌部を現像剤が循環する現像装置において、
前記現像剤が循環する経路中に、トナー及びキャリアの帯電量を調整するためのイオン化気流の導入口を備えてなることを特徴とする現像装置。
【請求項２】
請求項１記載の現像装置において、
前記現像部から前記現像剤撹拌部への排出経路中にイオン化気流の導入口を備えていることを特徴とする現像装置。
【請求項３】
請求項１記載の現像装置において、
前記現像剤撹拌部から前記現像部への供給経路中にイオン化気流の導入口を備えていることを特徴とする現像装置。
【請求項４】
請求項１記載の現像装置において、
前記現像剤撹拌部にイオン化気流の導入口を備えていることを特徴とする現像装置。
【請求項５】
請求項１乃至４のいずれかに記載の現像装置において、  前記イオン化気流発生手段の動作を任意にオン／オフ可能とし、また正イオンと負イオンのイオンバランスを任意に制御可能としてなることを特徴とする現像装置。
【請求項６】
請求項１乃至５のいずれかに記載の現像装置において、  前記イオン化気流の導入口に、少なくともキャリアが通過できないメッシュ、多孔質板もしくはそれらと同等の機能を有する手段を配してなることを特徴とする現像装置。
【請求項７】
請求項１から６のいずれかに記載の現像装置において、  前記現像剤の循環中において、現像剤の循環方向に対向する向きからイオン化気流を導入することを特徴とする現像装置。
【請求項８】
請求項１から７のいずれかに記載の現像装置において、  前記トナーの補給口を前記現像部から前記現像剤撹拌部への排出経路中でかつ前記イオン化気流の導入口に対して前記トナーの搬送方向上流側に設けてなることを特徴とする現像装置。
【請求項９】
請求項１から８のいずれかに記載の現像装置において、  前記現像剤撹拌部の撹拌部材の回転数を任意に制御可能としてなることを特徴とする現像装置。
【請求項１０】
請求項１から９のいずれかに記載の現像装置において、  前記現像剤を循環させる手段が、前記イオン化気流によるエア搬送であることを特徴とする現像装置。
【請求項１１】
請求項１から１０のいずれかに記載の現像装置において、  前記トナー及びキャリアの帯電量の調整が、帯電量の低減であることを特徴とする現像装置。
【請求項１２】
請求項２に記載の現像装置において、
前記排出経路の上部に前記イオン化気流の導入口を介して前記イオン化気流発生手段を設け、
前記イオン化気流発生手段は、ケースと、ケース内部に配置される共にケースとの間にバイアス電圧が印加されたワイヤ部材を備えてなり、バイアス電圧の印加による放電に起因して発生するイオンを前記ケース内に送気される気流で搬送しイオン化気流となし、前記イオン化気流の導入口から前記排出経路内にイオン化気流を導入することを特徴とする現像装置。
【請求項１３】
現像剤を担持して搬送する現像ローラと、
長手方向に現像剤を搬送しながら、該現像ローラに現像剤を供給する第１搬送スクリュと、
該第１搬送スクリュの現像剤搬送方向とは逆方向に現像剤を搬送する第２搬送スクリュとを備えた現像装置において、
該第２搬送スクリュの現像剤搬送方向上流側にトナーを補給するトナー補給口と、
該トナー補給口よりも現像剤搬送方向下流側であって、該第２搬送スクリュの下部にイオン化気流を導入するイオン化気流導入口とを配置したことを特徴とする現像装置。
【請求項１４】
請求項１から１４のいずれかに記載の現像装置を備えたことを特徴とする画像形成装置。
【発明の詳細な説明】
【技術分野】
【０００１】
本発明は複写機等の二成分現像剤を用いた現像装置と、これを備えた画像形成装置に関するものである。
【背景技術】
【０００２】
二成分現像剤を用いた現像装置は、トナーとキャリアからなる二成分現像剤を用いて像担持体（感光体等）上に形成された静電潜像をトナーにより現像して可視化する装置である。
【０００３】
このような装置では、現像領域で現像処理を終了してトナーが消費された現像剤は回収され、補給されるトナーと混合、撹拌され、再び現像に供されることが多い。従って、このような構成の現像装置に用いられる現像剤は、安定したトナー画像を得るために、一定のトナー濃度と帯電量を維持する必要がある。トナー濃度は現像で消費したトナーと補給トナー量により調整され、帯電量はキャリアとトナーとの混合時の摩擦帯電により付与されるからである。そこで、この種の現像装置では、トナーとキャリアからなる二成分現像剤の撹拌を充分に行い、トナー濃度分布を均一化するとともに、トナーに帯電を付与し、トナー画像の安定化を行っている。
【０００４】
しかし、トナーの帯電量は様々な要因によって変化し、同一の撹拌条件でも帯電量が異なる。例えば、前記要因とは、周囲の環境（温湿度）、経時のキャリアの帯電性能低下、出力画像面積によるトナー帯電量の変化、すなわち、トナーの滞留時間による帯電量の差などである。また、新たに補給されるトナー量により、帯電量にばらつきが生じる。トナー量が多い場合は、混合撹拌に時間がかかるからである。
【０００５】
従来、一般的なこの種の現像装置では、補給されたトナーが現像スリーブに汲み上がるまでのわずかな時間の間に２本のスクリュの回転による撹拌効果を利用してトナーの分散・帯電付与を行っているため、特にトナーの収支が多い場合、補給されたトナーが充分に分散せずに、現像スリーブに汲み上がり、地汚れ、トナー飛散といった品質課題が発生する。
【０００６】
このような混合撹拌不足に伴うトナー飛散や画像欠陥を防止するために、現像装置内の混合撹拌部材を多数設けて混合撹拌性を向上させたものが提案されているが、これによって初期の問題は解決されたものの、一方では現像剤の撹拌ストレスを増加させ、現像剤の経時劣化による帯電能力低下を引き起こし、結果として帯電量が安定せず、経時でのトナー飛散や地肌汚れ等の課題が残されている。なお、現像剤にストレスを与えると、キャリアのコート膜の削れによる帯電能力低下、トナーの添加剤埋没度による帯電能力低下、流動性変化などが起こる。流動性の変化によっても帯電能力の変化や転写率変化による画質低下の原因になる。
【０００７】
これらを解決するために、特許文献１では、現像部から離れた場所に別途に撹拌部を設け、現像部と撹拌部を循環手段によって接続し、現像剤の状態に応じた撹拌を撹拌部で行い、トナー濃度、帯電量を適切に調整した現像剤を現像部に供給する現像装置が提案されている。特許文献１の撹拌部は同文献の図１４に示す構成を有し、複数の撹拌部材を設けた回転軸を回転させることで撹拌を行っている。このような撹拌方式は幅広く用いられているが、撹拌動作が単一になりやすく、容器内全体を撹拌するためには、時間がかかる。従って、撹拌部を大きくし、滞留する現像剤量を増やし、長く撹拌部に留める必要があった。また短時間に撹拌するために、撹拌の回転速度を増加させると、現像剤へのダメージが懸念される。
【発明の概要】
【発明が解決しようとする課題】
【０００８】
本発明はこのような従来技術にかんがみてなしたもので、補給されたトナーと現像剤を短時間に効率良く、余計なストレスをかけることなく混合撹拌を行うとともに、現像剤の帯電量を外乱条件（使用条件）によらず、効率的に調整し、現像部に適切なトナー濃度と帯電量を持った現像剤を現像に必要な量だけ連続的に供給することが可能な現像装置、画像形成装置を提供することを目的とする。
【課題を解決するための手段】
【０００９】
本発明の現像装置のうち請求項１に係るものは、トナーとキャリアからなる二成分現像剤を用いた現像装置であって、現像部と、現像剤撹拌部を別体にして備えるとともに、イオン化気流発生手段を備え、前記現像部と前記現像剤撹拌部を現像剤が循環する現像装置において、前記現像剤が循環する経路中に、トナー及びキャリアの帯電量を調整するためのイオン化気流の導入口を備えてなることを特徴とする。
【００１０】
同請求項２に係るものは、請求項１記載の現像装置において、前記現像部から前記現像剤撹拌部への排出経路中にイオン化気流の導入口を備えていることを特徴とする。
【００１１】
同請求項３に係るものは、請求項１記載の現像装置において、前記現像剤撹拌部から前記現像部への供給経路中にイオン化気流の導入口を備えていることを特徴とする。
【００１２】
同請求項４に係るものは、請求項１記載の現像装置において、前記現像剤撹拌部にイオン化気流の導入口を備えていることを特徴とする。
【００１３】
同請求項５に係るものは、請求項１乃至４のいずれかに記載の現像装置において、前記イオン化気流発生手段の動作を任意にオン／オフ可能とし、また正イオンと負イオンのイオンバランスを任意に制御可能としてなることを特徴とする。
【００１４】
同請求項６に係るものは、請求項１乃至５のいずれかに記載の現像装置において、前記イオン化気流の導入口に、少なくともキャリアが通過できないメッシュ、多孔質板もしくはそれらと同等の機能を有する手段を配してなることを特徴とする。
【００１５】
同請求項７に係るものは、請求項１から６のいずれかに記載の現像装置において、前記現像剤の循環中において、現像剤の循環方向に対向する向きからイオン化気流を導入することを特徴とする。
【００１６】
同請求項８に係るものは、請求項１から７のいずれかに記載の現像装置において、前記トナーの補給口を前記現像部から前記現像剤撹拌部への排出経路中でかつ前記イオン化気流の導入口に対して前記トナーの搬送方向上流側に設けてなることを特徴とする。
【００１７】
同請求項９に係るものは、請求項１から８のいずれかに記載の現像装置において、前記現像剤撹拌部の撹拌部材の回転数を任意に制御可能としてなることを特徴とする。
【００１８】
同請求項１０に係るものは、請求項１から９のいずれかに記載の現像装置において、前記現像剤を循環させる手段が、前記イオン化気流によるエア搬送であることを特徴とする。
【００１９】
同請求項１１に係るものは、請求項１から１０のいずれかに記載の現像装置において、前記トナー及びキャリアの帯電量の調整が、帯電量の低減であることを特徴とする。
【００２０】
同請求項１２に係るものは、請求項２に記載の現像装置において、前記排出経路の上部に前記イオン化気流の導入口を介して前記イオン化気流発生手段を設け、前記イオン化気流発生手段は、ケースと、ケース内部に配置される共にケースとの間にバイアス電圧が印加されたワイヤ部材を備えてなり、バイアス電圧の印加による放電に起因して発生するイオンを前記ケース内に送気される気流で搬送しイオン化気流となし、前記イオン化気流の導入口から前記排出経路内にイオン化気流を導入することを特徴とする。
【００２１】
同請求項１３に係るものは現像剤を担持して搬送する現像ローラと、長手方向に現像剤を搬送しながら、該現像ローラに現像剤を供給する第１搬送スクリュと、該第１搬送スクリュの現像剤搬送方向とは逆方向に現像剤を搬送する第２搬送スクリュとを備えた現像装置において、該第２搬送スクリュの現像剤搬送方向上流側にトナーを補給するトナー補給口と、該トナー補給口よりも現像剤搬送方向下流側であって、該第２搬送スクリュの下部にイオン化気流を導入するイオン化気流導入口とを配置したことを特徴とする現像装置である。
【００２２】
同請求項１４に係るものは、請求項１から１４のいずれかに記載の現像装置を備えたことを特徴とする画像形成装置である。
【発明の効果】
【００２３】
本発明によれば、補給されたトナーと現像剤を短時間に効率良く、余計なストレスをかけることなく混合撹拌を行え、現像剤の帯電量を外乱など使用条件によらずに効率的に調整でき、現像部に適切なトナー濃度と帯電量を持った現像剤を現像に必要な量だけ連続的に供給し得る。
【図面の簡単な説明】
【００２４】
【図１】本発明の実施対象となる画像形成装置の一例の全体構成を示す図
【図２】本発明の実施例の現像部、現像剤撹拌部、ロータリフィーダ部、エアポンプの構成を詳細に示す斜視図
【図３】現像部の内部の構成を示す図
【図４】イオン化気流発生手段であるイオナイザの構成図
【図５】現像部から現像剤撹拌部への現像剤排出流路中にイオン化気流導入口を設け、イオナイザからのイオン化気流を流路を通して現像剤排出流路へと送る状態の断面図
【図６】図５のメカニズムの模式図
【図７】現像剤撹拌部及びロータリフィーダ部の断面及び詳細を示す図
【図８】本発明の第２の実施例を示す斜視図
【図９】本発明の第３の実施例を示す断面図
【図１０】本発明の第４の実施例を示す断面図
【図１１】本発明の第５の実施例を示す断面図
【図１２】本発明の第５の実施例に使用するプレ混合部を示す図
【図１３】本発明の第５の実施例の現像部、現像剤撹拌部、ロータリフィーダ部、エアポンプの構成を詳細に示す斜視図
【図１４】本発明の第５の実施例の変形例を示す断面図
【図１５】本発明の第６の実施例を示す断面図
【図１６】イオン化気流による帯電量制御の実験例を示す図
【図１７】円筒状容器が円筒軸方向に回転し、その回転運動と容器側面からの磁力により、容器内部の現像剤（トナー及びキャリア）が撹拌される状態を示す図
【図１８】本発明の第７の実施例を示す断面図
【図１９】本発明の第８の実施例を示す模式図
【発明を実施するための形態】
【００２５】
本発明は、トナーとキャリアからなる二成分現像剤を用いる装置であって、現像部と、現像剤撹拌部を別体にして備えるとともに、イオン化気流発生手段を備え、前記現像部と前記現像剤撹拌部を現像剤が循環する現像装置を、前記現像剤が循環する経路中に、トナー及びキャリアの帯電量を調整するためのイオン化気流の導入口を備えて構成するものとしている。また、イオン化気流の導入口は、現像部から現像剤撹拌部への排出経路中、現像剤撹拌部から現像部への供給系路中、現像剤撹拌部に設けることとしている。そして、イオン化気流発生手段の動作を任意にオン／オフ可能とし、また正イオンと負イオンのイオンバランスを任意に制御可能とすると共に、イオン化気流の導入部には、キャリアが通過できないメッシュ、多孔版板もしくはそれらと同等の機能を有する手段を配し、現像剤の循環方向に対向する向きからイオン化気流を導入するものとする。
【実施例１】
【００２６】
図１は本発明の実施対象となる画像形成装置の一例の全体構成を示す図である。この装置は、カラーの画像形成装置であり、図中８１は装置本体で、中間転写ベルト８５の下方にイエロー、マゼンタ、シアン、ブラックの４色に対応する作像ユニットが配置される。各色作像ユニットの構成は同様であり、感光体１、帯電部８２、現像部２、一次転写部８４、クリーニング部８３などで構成される。
【００２７】
動作は、まず、感光体１は帯電部８２によって一様な帯電を与えられ、次に図示しない光書込みユニットによって、作成する画像に対応した静電潜像が感光体１表面に形成され、現像部２によって潜像が現像されて、トナーの像が感光体１上に形成される。このようにして各作像ユニットでできた各色のトナー像は一次転写部８４によって中間転写ベルト８５の表面に順に転写される。これによって中間転写ベルト８５上にはフルカラーのトナー像が形成される。このフルカラートナー像は給紙カセット８７から供給される転写紙に二次転写部８８によって転写され、次に定着部８９を通過することで、熱によってトナーが解けて転写紙にカラー画像が定着される。９０は作成された画像を排出する排紙部である。なお図中９１はエア吸引口、９２は外部空気吸引路、９３は除湿装置、９４は空気取り入れ口である。
【００２８】
本発明の構成では、現像部２に特徴があり、通常は現像に用いられる現像剤（トナーとキャリアの混合体）は現像ユニットの中で撹拌混合されるのみであるが、本発明の構成では、現像部２と離れた場所に現像剤撹拌部４０を設け、この現像剤撹拌部４０は現像剤の撹拌を確実に行い、従来以上にトナーの帯電を安定して行い、これによって安定した画像形成を行うことを可能とする。
【００２９】
その動作を説明する。現像部２で現像を行った後の現像剤は現像剤排出流路３によって現像部２から排出されて現像剤撹拌部４０に送り込まれる。次に現像剤撹拌部４０では新しいトナーの補給も行われて、図示しない撹拌フィンによって充分に撹拌され、その後図示しないロータリフィーダによって定量ずつ排出される。排出される現像剤はエアポンプ６０により送られるエアの圧力によって搬送されて、現像剤供給流路４を通って現像部２に戻される仕組みである。新しいトナーの補給はトナーホッパー３０から少量ずつトナーを排出することで行われる。
【００３０】
図２は本発明の実施例の現像部２、現像剤撹拌部４０、ロータリフィーダ部、エアポンプの構成を詳細に示す斜視図である。図中１は感光体ドラムであり、図示しない帯電器及び光書込み装置によって表面に静電潜像が形成される。２は現像部である（内部の構成は図３に示す）。また４０は現像剤撹拌部の全体を示す。現像部２の現像剤排出部から排出される現像剤は現像剤排出流路３の中を自重により落下し、現像剤撹拌部４０内部に投入される。
【００３１】
現像剤撹拌部４０において、撹拌部材４４を設けた軸は、撹拌用モータ４５によりギア４６を介して回転駆動される。また現像剤撹拌部４０にはトナーの消費に伴いトナーホッパー３０より新しいトナーが補給される。トナー補給は駆動用モータ３２により、トナー供給路３１内部を通って補給される。図２（ｂ）に示すように、トナー供給路３１内部には小型の搬送スクリュ（オーガ）３５が配置されてトナーを一定量搬送することができる構成となっている。図中４１は後述するロータリフィーダ５０へのトナーの出口開口である。
【００３２】
ロータリフィーダ５０は、内部の羽根車を回転させて撹拌された現像剤を一定量ずつ排出する働きをする。図中５５はロータリフィーダ駆動用のモータである。
【００３３】
ロータリフィーダ５０より定量排出される現像剤は、エアポンプ６０より供給される空気圧により、現像剤供給流路４の内部をエアによって搬送されて、現像部の現像剤投入部５に戻される。なお図中９９はイオナイザ、１０３はイオン化気流導入口である。
【００３４】
図３は現像部２の内部の構成を示す図である。図中２０は現像ローラであり、内部に磁石を配置し、現像剤を吸着搬送して感光体１表面の静電潜像にトナーを付着させる働きをする。図中２１、２２は搬送スクリュであり、搬送スクリュ２１はその長手方向（図の紙面垂直方向）中央位置に設けられた現像剤投入部５から供給された現像剤を図中手前方向と奥方向に向かって分割搬送するように駆動される。搬送スクリュ２２では現像剤が図中奥から手前に向かって搬送されるように回転駆動される。また、搬送スクリュ２２の手前側には現像剤を外部に排出するための現像剤排出部が設けられている。図中２５は現像スリーブに付着する現像剤を一定量に均すためのドクターブレード、２３は現像部をカバーするケーシングである。
【００３５】
次に本発明の特徴である、イオン化気流及び、撹拌部について説明する。図４はイオン化気流発生手段であるイオナイザ９９の構成図である。イオナイザ９９内部には電極針１００が設けられ、電極針１００に正負のパルス状高電圧を印加してコロナ放電させることにより、両電極針から正負のイオンを発生させる。生成した正イオンと負イオンは気流口１０１を通じて、プロペラやエアポンプなどから送られてくる気流に乗ることで、イオン化気流となりイオン化気流導入口へと運ばれる。また、正負のイオンバランスを変化させるためには図４のようにイオン化気流の流路内に電極１０２を設け、そこに電位を設定することで、反対の極性のイオンが引き付けられる（図４（Ｂ）では負電位にすることで正イオンが電極に引き付けられている）ことで、一方のイオンバランスに偏ったイオンを発生することも可能である。この他、イオナイザ９９には電極針に直流電圧を印加することで、正又は負のどちらかのイオンを発生するものや、軟Ｘ線や真空紫外線を用いてイオンを発生することで、オゾンの発生を抑制するタイプなどもあり、本発明では適宜用途に合うものを使用することができる。
【００３６】
図５は現像部から現像剤撹拌部への現像剤排出流路中にイオン化気流導入口を設け、イオナイザからのイオン化気流を流路を通して現像剤排出流路へと送る状態の断面図である。図２及び図５に示す例では、現像部２から現像剤撹拌部４０への現像剤排出流路３中にキャリアが通過できないメッシュ又は多孔質板１０４を介してイオン化気流導入口１０３が設けられ、イオナイザ９９からのイオン化気流がイオン化気流導入口１０３及びメッシュ又は多孔質板１０４を通して現像剤排出流路３へと送られている。イオン化気流は、図５に示すように、現像剤排出流路３中を移動する現像剤へと吹きかけられ、現像剤中のトナー又はキャリアにイオンが引き付けられることで現像剤の帯電量が変化（低減）する。
【００３７】
図６は上述のメカニズムの模式図であり、例えば正のイオンはマイナスに帯電したトナーへと引き付けられ、トナー電荷は減少し、プラスに帯電したキャリアは負イオンが引き付けられることで電荷が減少する。現像部から排出された現像剤全体に対して、連続的にイオン化気流を吹きかけることで、現像剤の帯電量は均一に低下する。
【００３８】
一般的に、トナーの帯電量は、様々な要因によって変化し、同一の撹拌条件でも帯電量が異なる。例えば、前記要因とは、周囲の環境（温湿度）、経時のキャリアの帯電性能低下、出力画像面積によるトナー帯電量の変化、すなわち、トナーの滞留時間による帯電量の差などがある。さらに、帯電量の違いにより静電的な付着力にも差が生じ、現像装置内に滞留したトナーと新たに補給されるトナーではそれらの差が顕著である。しかしながら、本発明では撹拌前のトナー間帯電量差を低減させることで、静電的付着力の差がなくなり、補給トナーと現像装置内に滞留していたトナーを均一に現像剤中に分散させることが可能で、また、トナー帯電量自体も安定化させることができる。
【００３９】
図７は他の例に係る現像剤撹拌部４０及びロータリフィーダ５０の断面及び詳細を示す図である。現像剤撹拌部４０では現像剤の撹拌、トナー帯電を行い、適切なトナー濃度と帯電量を持った現像剤を連続的に安定して供給する役割がある。そのため、短時間に効率良く現像剤を撹拌する必要があり、かつ現像剤に与えるストレスが少ないことが望まれる。
【００４０】
現像剤撹拌部４０は逆円錐型など排出口に向かうほど径が細くなる形状をしており、その上面には現像剤補給口３３が、下面には排出口３４が設けられている。中心には下から上に剤を搬送するスクリュ４３、その外側には回転可能な板状部材４４が２本設けられており、これらの撹拌部材４４の回転動作によって現像剤が混合される。外側の撹拌部材４４とスクリュ４３は撹拌用モータ４５によって回転する。スクリュ４３はモータと直結されており、外側撹拌部材４４は、ギア４６ａ〜４６ｄを介して、回転する（減速している）。現像剤撹拌部４０での補給口から、排出口までの搬送は重力を利用している。現像剤撹拌部４０にはバッファとして常に現像剤が存在するため、未混合の現像剤がそのまま排出されることはない。
【００４１】
トナー供給路３１内には螺旋形状のオーガ３５が設けられ、駆動源である駆動用モータ３２にその一端が接続され（図２参照）、回転駆動される。これによりトナーが搬送され現像剤溜まり中に補給され、補給されたトナーは現像剤ととともに板状部材である撹拌部材４４により、速やかに混合撹拌される。
【００４２】
本発明では上記したように、イオン化気流により現像部からの排出現像剤の帯電量を調整（低減）することで、補給トナーの分散性が向上しているため、余計なストレスをかけずに適正な帯電量に速やかに調整することが可能である。
【００４３】
スクリュ４３の回転によって下から上に持ち上げられた現像剤は、外側を回転する撹拌部材４４の回転に伴い下方に運動し、再びスクリュ４７の周囲に寄せ集められる。このように現像剤撹拌部４０内の収容部では絶えず現像剤が対流している。この対流により、現像剤撹拌部４０内全体が、均一に混合される仕組みである。トナーの帯電はトナーとキャリアの摩擦によって付与されるため、帯電量をすばやく得るためにはトナーとキャリアの接触確率を上げることが重要である。本願発明者らの検討によって、現像剤撹拌部４０の収容部内で現像剤が対流することにより接触確率が上がり、かつ、現像剤へのダメージも少ないことがわかった。本発明のようにイオン化気流により撹拌前に帯電量を低減させる際には、均一にトナー帯電量を適正な値まで立ち上げることが可能である、本構成の撹拌機が適している。
【００４４】
現像剤撹拌部４０の下方にはロータリフィーダ５０が接続されている。内部には羽根車５１が図のように配置され回転することによって一定量ずつの現像剤が下方に排出される構成である。ロータリフィーダ５０より排出される現像剤はエアポンプ６０より送られてくるエアにより、図中で左から右に送られ空気流に乗って現像部まで搬送されるものである。エアポンプ６０から空気取り入れ口までの構成は図２と同様である。
【実施例２】
【００４５】
図８は本発明の第２の実施例を示す斜視図である。この例では、現像剤循環経路の現像剤撹拌部４０から現像部２への供給経路である現像剤供給流路４中にイオン化気流導入口１０３を備えている。周囲の環境（例えば湿度）などの要因で撹拌部内において現像剤の帯電量が上昇しすぎてしまった場合や、現像剤が劣化などの影響で帯電量にばらつきがある（帯電量分布がブロード）場合の際は、撹拌後の現像剤にイオン化気流を吹きかけてやることで、帯電量が高すぎるために現像に使われることがないトナーや、弱帯電・逆帯電トナーなどの帯電量を調整することが可能となる。この際、正イオンや負イオンのイオンバランスを調整することで、より適正な帯電量に調整することが可能である。また、撹拌された現像剤の帯電量が適正な場合はイオナイザをＯＦＦすることで無駄にエネルギーを使ってイオンを生成することもなくなる。適正な帯電量かを検知する手段としては、現像部に設けたトナー濃度センサや中間転写ベルト８５（図１参照）上のトナー付着量を検知する光学センサなどの関係から間接的に予想することが可能である。
【００４６】
さらに、現像剤撹拌部４０の撹拌部材４４の回転数を制御可能とすることで、使用条件（環境や出力画像）により、トナー帯電量が低い際は回転数を上げ、高い際は回転数を下げる（トナー補給がない場合は停止させる）とともに、イオン化気流で帯電量を低減させることで、適正なトナー帯電量を得ることが可能となり、トナー帯電量のばらつきによる、濃度むらや地汚れなどといった画像品質問題が起こることを無くすことができる。また、イオン化気流導入口を現像剤循環経路の現像剤排出流路３、現像剤供給流路４の両方に備えることで、トナー帯電量制御をより精度良く行うことができる。
【実施例３】
【００４７】
図９は本発明の第３の実施例を示す断面図である。この例では、第２の実施例と同様の構成を備えた現像剤撹拌部４０にイオン化気流導入口１０３を備えており、図８で説明した効果が同様に得られるようになっている。さらに、現像剤撹拌部４０にイオン化気流を導入すると、現像剤撹拌部４０内の現像剤を流動化させ、撹拌によるストレスを低減すると伴に、現像剤のトナー濃度、帯電量を均一にすることが可能である。
【実施例４】
【００４８】
図１０は本発明の第４の実施例を示す断面図である。この例では、イオン化気流導入口１０３にキャリアが通過できないメッシュ又は多孔質板１０４を備えることで、導入口への現像剤の逆流や導入口の詰まりを抑制することが可能である。また、多孔質板１０４を現像剤の流れに対して傾斜して配置し、現像剤の移動方向に対抗した向きからイオンを導入するようにしている。図５に示した例のように単純に現像剤移動方向に対して横方向からイオン化気流を導入してしまうと、循環する現像剤の一部にのみイオンが導入されてしまい、現像剤に対するイオンの導入が不十分となることがあるのに対して、本例のように現像剤の移動方向に対抗した向きからイオンを導入すれば、移動する現像剤にむらなく均一にイオンを導入することができる。
【実施例５】
【００４９】
図１１は本発明の第５の実施例を示す断面図、図１２は本発明の第５の実施例に使用されるプレ混合部を示す図、図１３は本発明の第５の実施例の構成を詳細に示す斜視図である。本例では、図１３に示すように、現像剤排出流路３は、プレ混合部２００を介して現像剤撹拌部４０に接続されている。プレ混合部２００にはイオン化気流導入口１０３が接続されてイオン化気流が導入され、現像剤排出流路３内の現像剤をイオン化している。プレ混合部２００は、図１１及び図１２に示すように、円筒形をなした筐体２１０内に、現像剤分散部材１０５と、メッシュ１０４とを配置したものである。メッシュ１０４は、円筒形の筐体２１０内に逆円錐形状であり、イオン化気流は現像剤の循環方向に対向する向きから導入できるようになっている。また、現像剤分散部材１０５は、現像剤の移動方向（この場合は落下方向）に対して２つの斜面を上部でつきあわせた屋根型をなす部材を配置したもので、効果的に現像剤を分散してイオン化気流に当てることができる。
【００５０】
本例では、これによりメッシュ１０４の側面側に分散された現像剤がメッシュ１０４上を移動する際に、メッシュ１０４が流動床の役割を果たし、イオン化気流を現像剤全体に導入できる。
【００５１】
図１４は本発明の第５の実施例の変形例を示す断面図である。この例では、現像剤分散部材１０５を頂点が上方に向いた円錐形状の形状をなしている。この例のように、現像剤分散部材１０５を円錐形状とすると、現像剤を均一に分散しやすいため、イオン化気流が現像剤に均一に吹き付けることができる。なお、現像剤分散部材１０５は円錐形の他、３角錐、４角錐などの角錐形とすることができる。
【実施例６】
【００５２】
図１５は本発明の第６の実施例を示す断面図である。トナー補給口が現像部から撹拌部への排出経路の途中、イオン化気流導入口の上流側に設けられていて、螺旋形状のオーガ３５が回転することで、トナー供給路３１からトナーが補給される。補給されたトナーは現像部から排出された現像剤と伴に循環経路中を移動し、イオン化気流導入部で現像剤中に分散される。イオンは帯電しているトナーやキャリアに優先的に引き付けられて、その帯電量を低減させ、新たに補給されたトナーが分散しやすい状態になる。また、プレ混合の役割を果たすため、この後の撹拌部での混合・撹拌も容易に行えるため、撹拌部での現像剤へのストレスを抑制することも可能である。
【００５３】
なお、前記第５及び第６の実施例に示したプレ混合部２００を使用する場合、現像剤分散部材１０５は、金属製あるいは樹脂製とすることができる。また、現像剤に吹き付けられる当たる前にイオン同士が打ち消しあったり、容器側面に吸収されたりするのを防ぐため、現像剤分散部材１０５にバイアス電圧を印加し、イオンにエアの他に電気的な駆動力を与えることができる。さらに、現像剤分散部材１０５を重力方向に垂直な回転軸により回転させ、撹拌効果を向上させることができる。また、上記例ではイオン化気流導入口１０３は一個所としているが、イオン化気流導入口１０３を多数個所に設け、現像剤により均一にイオン化気流を吹きかけることができる。
【００５４】
また、上記したように、図２（図８も同様）ではロータリフィーダ５０から排出される現像剤はエアポンプ６０より送られてくるエアにより、図中で左から右に送られ空気流に乗って現像部まで搬送されている。この現像剤の搬送を、エアポンプ６０の変わりにイオナイザ９９からのイオン化気流で行うことにより、別途ポンプを設ける必要がなく、現像装置の簡素化も可能である。
【００５５】
図１６はイオン化気流による帯電量制御の実験例を示すグラフ、図１７は図１６に示した実験に用いた円筒状容器及び側面磁石を示す図である。
実験条件は、
現像剤：トナー粒径６μｍ、キャリア粒径３５μｍ
撹拌装置：円筒状容器１０６が円筒軸を軸として回転し、その回転運動と容器側面に配置された側面磁石１０７からの磁力により、容器内部の現像剤（トナー及びキャリア）が撹拌される（図１７）
円筒状容器：直径φ３０ｍｍ、高さ４０ｍｍ、回転数１８０ｒｐｍ、
側面磁石：１０００Ｇ、３０００Ｇ
【００５６】
図１６（Ａ）はトナー濃度４ｗｔ％の現像剤５ｇを３０００Ｇの側面磁石を取り付けた上記撹拌装置で２０分間撹拌し、撹拌後イオン化気流を吹きかけない現像剤（イオナイザ処理前）と、撹拌後イオン化気流を吹きかけた現像剤（イオナイザ処理後）を帯電量測定装置（商品名Ｅ−ｓｐａｒｔアナライザ）によりトナーの帯電量分布を測定した結果である。撹拌したままの現像剤は強撹拌を行ったために、高帯電側にブロードな分布を持っている。このような現像剤は、トナーとキャリアの付着力が強いために現像部で現像されないために画像濃度が薄くなる問題が生じる。一方で、イオン化気流を吹きかけた現像剤は、帯電量が低減し、さらに帯電量分布がシャープになっているため、現像する際に適正な帯電量に調整されていることがわかり、現像の効率も向上すると考えられる。
【００５７】
図１６（Ｂ）は上記の２種類の現像剤（イオナイザ未処理剤、イオナイザ処理剤）４ｇにトナー濃度が７ｗｔ％になるようにＮＥＷトナーを補給し、側面磁石１０００Ｇを取り付けた撹拌装置で１分間にわたり撹拌を行った結果である。イオナイザ未処理の現像剤と比較してイオナイザ処理を行った現像剤は高帯電側にシフトしていて、帯電が速やかに起こっていることがわかる。これは、強撹拌により強いストレスを受けたトナー（現像剤）中に補給トナーが速やかに分散し、イオナイザ未処理剤と比較して撹拌が良好に行われたためだと考えられる。
【００５８】
このように、撹拌前にイオン化気流を吹きかけると、補給トナーの分散性が向上し、撹拌後にイオン化気流を吹きかけることで、不適当な帯電量のトナーを適正な帯電量に調整することが可能であることを確認できた。
【実施例７】
【００５９】
図１８は本発明の第７の実施例を示す断面図である。図１８（Ａ）は現像部の軸方向からの断面を、図１８（Ｂ）は上方向からの断面を示す。
【００６０】
図中２０は現像ローラであり、内部に磁石を配置し、現像剤を吸着搬送して感光体１の表面の静電潜像にトナーを付着させる働きをする。図中２１は第１搬送スクリュ、２２は第２搬送スクリュであり、第１搬送スクリュ２１は図１８（Ｂ）中の長手方向右側から左側へ搬送するように駆動され、現像ローラ２０へと現像剤を供給し、第２搬送スクリュ２２は現像剤が左側から右側へ搬送されるように回転駆動され、搬送中に図１８（Ｂ）中（ａ）部に補給されたトナーを混合・撹拌しながら現像剤の搬送を行う。
【００６１】
図中２５は現像スリーブに付着する現像剤を一定量に均すためのドクターブレード、２３は現像部をカバーするケーシングである。さらに本発明ではイオン化気流導入口が撹拌を行う第２搬送スクリュ２２の下に設けられている。現像剤は、図中（ａ）部の上方からトナーが補給され、同（ｂ）部で下から流入したイオン化気流とメッシュ１０４によって流動化され、イオンが導入される（導入された気流は上部に設けられたフィルタ２４から外部へと排出される）。イオンが導入された現像剤は、帯電量が低減し（補給トナーと現像剤中のトナーとでトナー／キャリア間での静電的付着力に差がなくなることになり）、補給トナーが現像剤中に混合・分散されやすい状態になる。また、帯電量自体のばらつきも低減され、トナー濃度・帯電量が均一化された現像剤は第２搬送スクリュ２２によって搬送され、第１搬送スクリュ２１によって現像ローラ２０へと供給される。このとき、トナー濃度と帯電量が適正化されているため、画像濃度を経時で安定して保つことができる。
【００６２】
ここで、イオン化気流導入口１０３をトナー補給口よりもやや下流に設けているのは、補給トナーがイオン化気流により舞い上がることを防ぐためである。トナーと現像剤では比重が異なるため、多量のトナーが補給されると補給トナーが現像剤と混ざらず、上滑りが発生することになるが、トナー補給口の真下に導入口があると、気流によりこれをさらに助長してしまうと考えられるからであり、この構成により上滑りを防止することができる。
【００６３】
図１９は本発明の第８の実施例を示す模式図である。図１９（Ａ）は現像部、現像剤撹拌部、ロータリフィーダ部、エアポンプの構成を示す模式図、（Ｂ）は除電器の構成を示す模式図、（Ｃ）は除電器の構成を示す断面図である。
【００６４】
本例では、現像部２と現像剤撹拌部４０との間に配置される現像剤排出流路３４０の上部に多孔質板３３０を介して帯電チャージャ３００を配置し、現像剤排出流路３５０内を通過する現像剤に帯電チャージャ３００で発生したイオン化気流を送出するようにしている。帯電チャージャ３００は、エアが導入されるケース３１０内にケーブル３２０を配置し、ケース３１０とケーブル３２０との間に例えば３ｋＶ以上のバイアス電圧を印加し、放電によって発生するイオンを前記エアにより送出するものである。なお、図中３５０は現像剤搬送用のスクリュを示している。
【００６５】
発明者の実験によれば、一般的なイオナイザよりも本例に係る帯電チャージャを用いた場合、イオンの発生量が多く、単位時間あたりの除電効果が高いという結果が得られた。
【００６６】
以上説明したように、トナーとキャリアからなる二成分現像装置であり、現像部と、現像剤撹拌部が別体に設けられ、該現像部と該撹拌部を現像剤が循環し、イオン化気流発生手段を有する現像装置において、前記現像剤循環経路の現像部から現像剤撹拌部への排出経路中に、トナー及びキャリアの帯電量を調整（低減）するためのイオン化気流の導入口を備えることで、補給トナーの分散性向上、撹拌性向上、トナー帯電量安定化を図れる。すなわち、従来の電子写真の現像ユニット内では、消費されることなく現像ユニット内でストレスを受けたトナーと、新たに補給されたフレッシュなトナーがある（ユニット内の剤中トナーの履歴はそれぞれ異なっている）。このような状態の異なるトナー（トナーの添加剤が埋没したり離脱するなどして状態が異なったりするなど）が存在する状態で補給トナーの混合・撹拌を行うと、帯電量の違いや、それに伴う静電的付着力の違いにより、現像に用いられない強帯電トナーや画像品質に悪影響を及ぼす弱帯電トナーが発生してしまう。このような課題に対して、撹拌する前のトナー帯電量を調整し、補給トナーと現像装置内のトナーの帯電量を均一にする（例えば帯電量を低減させてやる）ことで、トナー／キャリア間の静電的付着力の差が小さくなり、補給トナーの混合・分散性の向上や撹拌後のトナー帯電量分布の安定化により、画像品質を安定に保つことが可能となる。また、帯電量を調整する手段としてイオン化気流を流入させることで、現像剤中に均一にイオンを導入することが可能となる。
【００６７】
また、本発明は、トナーとキャリアからなる二成分現像装置であり、現像部と、現像剤撹拌部が別体に設けられ、該現像部と該撹拌部を現像剤が循環し、イオン化気流発生手段を有する現像装置において、前記現像剤循環経路の撹拌部から現像部への供給経路中、撹拌部の少なくとも一方に、トナー及びキャリアの帯電量を調整（低減）するためのイオン化気流の導入口を備え、トナー帯電量分布の安定化を図れる。すなわち、現像装置内を繰り返し循環し、過度な撹拌により帯電量が高くなりすぎたり、また使用条件（周囲の環境変化や出力する画像面積）の違いから同条件の撹拌を行っても帯電量は変化したりすることから、トナー（現像剤）の帯電量をイオン化気流により調整（低減）することで、現像に用いられることがない強帯電トナーの割合を減少させることが可能である。また、帯電量分布がシャープにすることもできるため、経時で安定した画像品質を保つことができる。
【００６８】
またイオン化気流の発生手段の動作は任意にＯＮ／ＯＦＦ可能であり、また正イオンと負イオンのイオンバランスが任意に制御可能であるようにすると、適正な帯電量調整が図れ、現像装置内の現像剤の状態（トナー濃度や帯電量）に応じてイオナイザを動作させたり、そのイオンバランスを変化させたりすることで、無駄にイオンを現像剤に導入することなく適正な帯電量に保つことができる。
【００６９】
また、イオン化気流導入口に少なくともキャリアが通過できないメッシュ、多孔質板もしくはそれに代替するものを備えることで、現像剤への均等なイオン導入を図れる。キャリアが通過できないメッシュや多孔質板を備えることで、導入口への現像剤の逆流を防ぐことができ、また、現像剤へ均一にイオン導入することが可能となるのである。
【００７０】
さらに、現像剤循環中において、現像剤の循環方向に対抗する向きからイオン化気流を導入することで、イオン化気流を現像剤の循環方向の側面から流入させると、イオンが現像剤の一部にしか導入されないが、対抗する向きから気流を送ることで、全体にむらなく送ることができる。また、メッシュ、多孔質板との組み合わせにより、現像剤を流動状態にすることができ、より均一にイオンを分散させることができる。
【００７１】
さらに、トナー補給口を現像部から現像剤撹拌部への排出経路中かつ、イオン化気流導入口の上流に設けることでトナー分散性、撹拌性の向上を図り、補給されたトナーをイオン化気流で現像剤とプレ混合することで、現像剤中に均一に分散させることが可能となり、その後の撹拌を効率良く行うことができる。
【００７２】
またさらに、撹拌部の撹拌部材の回転数を任意に制御可能とすることでトナー帯電量の安定化を図り、帯電量が低い場合には撹拌部材の回転数を上げることで帯電量を上昇させ、逆に高い場合はイオナイザにより帯電量を低下させてやることで、必要に応じた適切な帯電量を安定して得ることが可能となる。
【００７３】
そして、現像剤循環手段をイオン化気流による（エア）搬送とすることで装置の簡素化を図り、現像剤の循環手段にエア搬送などを用いる場合は、搬送のためのエアと、イオンを送るためのエア（気流）を一つのポンプにより共通化することで、装置構成を簡素化することを可能とする。
【００７４】
なお、本発明は、トナーとキャリアからなる二成分現像装置において、イオン化気流発生手段を有し、イオン化気流排出口を現像剤（トナー）の撹拌部に設けることで補給トナーの分散性向上、撹拌性向上、トナー帯電量安定化を図り、撹拌部と現像部が別体に設けられていない構成においても現像剤の撹拌時にイオン化気流を吹きかけることで、補給トナーの分散性や帯電量の調整を行うことを可能とするものである。すなわち、現像部と撹拌部を別体に設けなくとも（例えば、スクリュで搬送しながら撹拌を行う従来の現像装置）、所望の効果を得ることを可能とするものである。
【符号の説明】
【００７５】
１：感光体
２：現像部
３：現像剤排出流路
４：現像剤供給流路
５：現像剤投入部
２０：現像ローラ
２１：第１搬送スクリュ
２２：第２搬送スクリュ
２３：ケーシング
２４：フィルタ
２５：ドクターブレード
３０：トナーホッパー
３１：トナー供給路
３２：駆動用モータ
３３：現像剤補給口
３４：排出口
３５：搬送スクリュ（オーガ）
４０：現像剤撹拌部
４１：トナーの出口開口
４３：スクリュ
４４：撹拌部材（板状部材）
４５：撹拌用モータ
４６：ギア
４６ａ〜４６ｄ：ギア
４７：スクリュ
５０：ロータリフィーダ
５１：羽根車
５５：ロータリフィーダ駆動用のモータ
６０：エアポンプ
８１：装置本体
８２：帯電部
８３：クリーニング部
８４：一次転写部
８５：中間転写ベルト
８７：給紙カセット
８８：二次転写部
８９：定着部
９０：排紙部
９１：エア吸引口
９２：外部空気吸引路
９３：除湿装置
９４：空気取り入れ口
９９：イオナイザ
１００：電極針
１０１：気流口
１０２：電極
１０３：イオン化気流導入口
１０４：多孔質板又はメッシュ
１０５：現像剤分散部材
１０６：円筒状容器
１０７：側面磁石
２００：プレ混合部
２１０：筐体
３００：帯電チャージャ
３１０：ケース
３２０：ケーブル
３３０：多孔質板
３４０：現像剤排出流路
３５０：スクリュ
【先行技術文献】
【特許文献】
【００７６】
【特許文献１】特開２００８−００３５６０号公報
【図１】
2010033001.tif 000003
【図２】
2010033001.tif 000004
【図３】
2010033001.tif 000005
【図４】
2010033001.tif 000006
【図５】
2010033001.tif 000007
【図６】
2010033001.tif 000008
【図７】
2010033001.tif 000009
【図８】
2010033001.tif 000010
【図９】
2010033001.tif 000011
【図１０】
2010033001.tif 000012
【図１１】
2010033001.tif 000013
【図１２】
2010033001.tif 000014
【図１３】
2010033001.tif 000015
【図１４】
2010033001.tif 000016
【図１５】
2010033001.tif 000017
【図１６】
2010033001.tif 000018
【図１７】
2010033001.tif 000019
【図１８】
2010033001.tif 000020
【図１９】
2010033001.tif 000021